【事件の表示】
　特願２００３−１２１４６２「エンドレスインクリボン及び継ぎ目検出装置」拒絶査定不服審判事件〔平成１６年１２月２４日出願公開、特開２００４−３５８６５９〕について、次のとおり審決する。
【結　論】
　本件審判の請求は、成り立たない。
【理　由】
第１　手続の経緯・本願発明
１　本願は、平成１４年１２月６日に出願された特願２００２−３５４８４６号及び平成１５年４月８日に出願された特願２００３−１０４０６９号をその優先権主張の基礎とする、平成１５年４月２５日の出願であって、平成２１年７月１４日に手続補正がなされ、同年８月１８日付けで拒絶査定がなされ、これに対して、同年１１月２４日に拒絶査定不服審判が請求されると同時に手続補正がなされたものである。
　
２　本願の請求項１に係る発明は、平成２１年１１月２４日付け手続補正後の明細書及び図面の記載からみて、その特許請求の範囲の請求項１に記載されたとおりの次のものと認める。
「両端を溶着し、その溶着部を検出する導電材よりなる検出マークを備え、該検出マークは前記溶着部に対して走行方向前方でかつ上下端印字領域外に配置した印刷装置用エンドレスインクリボンにおいて、
　前記印刷装置用エンドレスインクリボンの両面に前記検出マークを施し、かつ表面側の前記検出マークと裏面側の前記検出マークとを走行方向にずらして設けることを特徴とするエンドレスインクリボン。」（以下「本願発明」という。）
　
第２　引用刊行物の記載事項
　原査定の拒絶の理由に引用された本願の優先日前に頒布された刊行物である特開平５−１３９００１号公報（以下「引用例」という。）には、次の事項が図とともに記載されている（下線は審決で付した。以下同じ。）。
　
１　「【請求項１】  
インキが設けられたリボンの両端を接合したエンドレスインクリボンにおいて、インクリボン接合部または近傍のインクリボンに
導電性部を備えている
エンドレスインクリボン。
【請求項２】  請求項１のエンドレスインクリボンにおいて、磁性部または
導電性部はリボン縁部分にのみ備えられている
【請求項３】  インキが設けられたリボンの両端間は継ぎ用リボンを介して接合されており、継ぎ用リボンに磁性または導電性の被膜が形成されるかあるいは磁性または導電性の塗料が含浸されていることを特徴とするエンドレスインクリボン。
【請求項４】  
インキが設けられたリボンの両端を重ね合わせて熱溶着
する
　
２　「【０００６】
【発明が解決しようとする課題】前者の技術は、簡単な構造で接合部を検出できる優れた技術であるが、近年、エンドレスインクリボンの接合部は、インキの量ができるだけ多くなるように、また、厚みは他の部分と同じくなるように、改良努力されているところであり、厚みを利用して位置検出できないものが生まれてきている。
【０００７】一方、後者の印字機は、光学的、電気的、磁気的に接合部を検出するため、種々のエンドレスインクリボンを使用でき得る優れた装置であるが、用いられるエンドレスインクリボンの被検出手段は、
インクリボン上に導電箔
を付設したものであるから、インクリボンの走行性を害したり、剥がれの虞などがあり
【０００８】この発明は、上述のような状況に鑑み、前記の印字機に適合し、接合部を簡単に検出できるエンドレスインクリボンを提供することを目的としている。」
　
３　「【００１３】これらのエンドレスインクリボンはカートリッジに装填されて用いられるが、このカートリッジには、リボンの出口側のリボン走行路に面して、検出体が設けられる。検出体は、リボン接合部近傍が硬質磁性体で形成されている場合は、サーチコイルが用いられ、リボンの磁化部分が近接すると、コイルに電流が流れることで検出される。消費電力が少ない利点がある。軟質磁性体で形成されている場合の検出体は、磁石を設けて磁場を形成しておき、リボンの磁性材部分が近接したとき電流値が変化することで検出される。
導電性材料で形成されている場合の検出体は、電流を引加した２本の電極針を走行するリボンに接して設け、リボンの導電部が通過するとき電流値が変化することで検出される。
【００１４】
【作用】エンドレスインクリボンの継ぎ目部分またはその近傍の磁性または
導電性は、検出体により電気信号として検知され、検出体の位置に継ぎ目
が到着したことの目印として機能する。
　
４　「【００２４】図１（ａ）は、リボン１の両端を超音波接合して継ぎ目２を形成し、
継ぎ目２よりもリボン走行方向前方（図では左側）に
導電性部３ａを備えている。
　
５　「【００２６】図１（ｂ）は、磁性部または
導電性部３ａをリボン１の縁部分に設けたものである。
検出体１８は小さく、リボン縁部にセットされている
両側縁の
導電性部３ａは、エンドレスリボン１がメビウスの帯に形成されているので、交互に作用する。
　
６　上記４及び図１（ｂ）の記載から、
エンドレスインクリボン１は、継ぎ目２よりもエンドレスインクリボン１の走行方向前方に２つの導電性部３ａ、３ａを備えている
２つの導電性部３ａ、３ａは、走行方向に互いにずらして設けられている
　
７　上記１ないし６から、引用例には、
「インキが設けられたリボンの両端を重ね合わせて熱溶着したエンドレスインクリボンにおいて、継ぎ目よりもエンドレスインクリボンの走行方向前方に２つの導電性部を備え、導電性部は、検出体により電気信号として導電性を検知され、検出体の位置に継ぎ目が到着したことの目印として機能し、導電性部はリボン縁部分にのみ備えられており、さらに、２つの導電性部は、走行方向に互いにずらして設けられており、検出体は小さく、リボン縁部にセットされており、導電性材料で形成されている場合の検出体は、電流を引加した２本の電極針を走行するリボンに接して設け、リボンの導電部が通過するとき電流値が変化することで検出されており、両側縁の導電性部は、エンドレスインクリボンがメビウスの帯に形成されているので、交互に作用するエンドレスインクリボン。」の発明（以下「引用発明」という。）が、記載されているものと認められる。
　
第３　対比
　本願発明と引用発明とを対比する。
１　引用発明における
「両端を重ね合わせて熱溶着」、
「エンドレスインクリボン」、
「『検出体により電気信号として導電性を検知され、検出体の位置に継ぎ目が到着したことの目印として機能』する『導電性部』」、
「継ぎ目よりもエンドレスインクリボンの走行方向前方に２つの導電性部を備え」、
「導電性部はリボン縁部分にのみ備え」及び
「２つの導電性部は、走行方向に互いにずらして設けられており」は、それぞれ、
本願発明における
「両端を溶着」、
「『印刷装置用エンドレスインクリボン』及び『エンドレスインクリボン』」、
「溶着部を検出する導電材よりなる検出マーク」、
「『検出マークは前記溶着部に対して走行方向前方』『に配置した』」、
「『検出マークは』『上下端』『に配置』」及び
「『前記検出マークと』『前記検出マークとを走行方向にずらして設ける』」に相当する。
　  
２　上記１からみて、本願発明と引用発明とは、
「両端を溶着し、その溶着部を検出する導電材よりなる検出マークを備え、該検出マークは前記溶着部に対して走行方向前方でかつ上下端に配置した印刷装置用エンドレスインクリボンにおいて、
　前記検出マークを走行方向にずらして設けるエンドレスインクリボン。」である点で一致し、次の相違点１及び２で相違する。
　
相違点１：
　本願発明においては、検出部は上下端印字領域外に配置しているのに対して、引用発明においては、導電性部はリボン縁部分にのみ備えられているものの印字領域外かどうか明らかでない点。
　
相違点２：
　本願発明においては、印刷装置用エンドレスインクリボンの両面に検出マークを施し、かつ表面側の前記検出マークと裏面側の前記検出マークとを走行方向にずらして設けているのに対して、引用発明においては、導電性部は、走行方向に互いにずらして設けられているものの、エンドレスインクリボンの両面に導電性部を施し、表面側の導電性部と裏面側の導電性部とを走行方向にずらして設けているのかどうか明らかでない点。
　
第４　判断
　上記相違点１及び２について検討する。
１　相違点１について
（１）エンドレスインクリボンにおいて、非印字領域に継ぎ目識別マークを設けることは、本願優先日前に周知である（例．特開平７−１０８７４２号公報（請求項１参照。）及び特開昭５６−１３９９８７号公報（特許請求の範囲第２項参照。）、以下「周知技術１」という。）。
　
（２）引用発明の導電性部はリボン縁部分にのみ備えられているものであることから、引用発明に周知技術１を採用し、導電性部は非印字領域のリボン縁部分にのみ備えられているものとすることは、当業者が容易に想到する事項にすぎず、よって、引用発明において、上記相違点１に係る本願発明の構成となすことは、当業者が周知技術１に基づいて容易に想到する事項にすぎない。
　
２　相違点２について
（１）エンドレスインクリボンにおいて、エンドレスインクリボンの継目表示手段を検出する検出手段をエンドレスインクリボンの一側面に設けることは、本願優先日前に周知である（例．上記特開昭５６−１３９９８７号公報（特許請求の範囲第１項、第２頁左下欄第３〜８行及び第６図参照。）、特開昭５５−２７２２８号公報（特許請求の範囲第１項、第２頁右上欄第５行〜左下欄第５行、第２図及び第３図（ロ）参照。）及び実願昭５５−１３５２９０号（実開昭５７−５７９５５号）のマイクロフィルム（実用新案登録請求の範囲第１項、第４頁第８行〜第５頁第９行及び第４図参照。）、以下「周知技術２」という。）。
　
（２）引用発明及び周知技術２はともにエンドレスインクリボンの継目表示手段を検出する技術なので、引用発明に周知技術２を採用し、検出体をエンドレスインクリボンの一側面に設けることは、当業者が容易に想到する事項にすぎない。
　
（３）そして、引用発明の両側縁の導電性部は、エンドレスインクリボンがメビウスの帯に形成されているので、交互に検出体に接触していることから、上記（２）のように検出体をエンドレスインクリボンの一側面に設けるようにした場合には、メビウスの帯に形成されているエンドレスインクリボンの導電性部を交互に検出体に接触させるため、２つの導電性部の一方を表面側に他方を裏面側にそれぞれ配置、すなわち、エンドレスインクリボンの両面に導電性部を設けるようになすことは、当業者が適宜なし得る事項にすぎない。
　
（４）すなわち、上記（３）及び引用発明の２つの導電性部は、走行方向に互いにずらして設けられていることからして、エンドレスインクリボンの両面に導電性部を施し、かつ表面側の前記導電性部と裏面側の前記導電性部とを走行方向に互いにずらして設けることは、当業者が容易に想到する事項にすぎず、よって、引用発明において、上記相違点２に係る本願発明の構成となすことは、当業者が周知技術２に基づいて容易に想到する事項にすぎない。
　
３　効果について
　本願発明の奏する効果は、引用発明、周知技術１及び周知技術２から当業者が予測することができた程度のものである。
　
４　まとめ
　したがって、本願発明は、当業者が引用発明、周知技術１及び周知技術２に基づいて容易に発明をすることができたものである。
　
第５　むすび 
　以上のとおり、本願発明は、当業者が引用例に記載された発明、周知技術１及び周知技術２に基づいて容易に発明をすることができたものであるから、特許法第２９条第２項の規定により特許を受けることができないものであり、他の請求項に係る発明を検討するまでもなく、本願は、拒絶されるべきものである。 
　よって、結論のとおり審決する。